【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】
磁気記録部を備える乗車券が投入される投入口と、
この投入口に投入された前記乗車券を搬送する第１の搬送手段と、
この第１の搬送手段の後段に設けられ、前記第１の搬送手段により搬送された前記乗車券を受け取って搬送する第２の搬送手段と、
前記第１の搬送手段の後段に設けられ、前記第１の搬送手段により搬送された前記乗車券を受け取り、再度前記第１の搬送手段に前記乗車券を搬送する第３の搬送手段と、
前記第１の搬送手段により搬送された前記乗車券を前記第２の搬送手段若しくは前記第３の搬送手段のいずれかに振り分ける振分手段と、
前記第２の搬送手段の後段に設けられ、前記第２の搬送手段により搬送された前記乗車券を受け取り、前記第３の搬送手段に前記乗車券を搬送する第４の搬送手段と、
前記第３の搬送手段の中段から分岐し、前記第３の搬送手段により搬送された前記乗車券を受け取り、搬送する第５の搬送手段と、
前記第２の搬送手段及び前記第５の搬送手段により搬送された前記乗車券を排出する排出口と、
前記第１の搬送手段上に設けられ、搬送される前記乗車券に磁気処理を行なう磁気処理手段と、
前記第５の搬送手段上に設けられ、搬送される前記乗車券に印刷処理を行なう印刷手段と、を具備し、
前記投入口に投入された前記乗車券を前記第１の搬送手段及び第２の搬送手段により前記排出口まで搬送させる第１の搬送路と、
この第１の搬送路に基づいて前記乗車券が搬送されているときにおいて、前記乗車券に対する前記磁気処理手段による処理が正しく行なわれなかったのに基づき、前記乗車券を前記第２及び第４の搬送手段により前記第３の搬送手段に搬送し、この第３の搬送手段により再度前記第１の搬送手段に前記乗車券を搬送して前記磁気処理手段により再度磁気処理を行なわせる第２の搬送路と、
前記投入口に投入された前記乗車券を前記第１の搬送手段で搬送させ前記振分手段により前記第３の搬送手段によりその中段まで搬送させ、さらに前記第５の搬送手段により前記排出口まで搬送させる第３の搬送路と
を備えたことを特徴とする自動改札装置。
【請求項２】
磁気記録部を備える乗車券が投入される投入口と、
この投入口に投入された前記乗車券を搬送する第１の搬送手段と、
この第１の搬送手段の後段に設けられ、前記第１の搬送手段により搬送された前記乗車券を受け取って搬送する第２の搬送手段と、
前記第１の搬送手段の後段に設けられ、前記第１の搬送手段により搬送された前記乗車券を受け取り、再度前記第１の搬送手段に前記乗車券を搬送する第３の搬送手段と、
前記第１の搬送手段により搬送された前記乗車券を前記第２の搬送手段若しくは前記第３の搬送手段のいずれかに振り分ける振分手段と、
前記第２の搬送手段の後段に設けられ、前記第２の搬送手段により搬送された前記乗車券を受け取り、前記第３の搬送手段に前記乗車券を搬送する第４の搬送手段と、
前記第３の搬送手段の中段から分岐し、前記第３の搬送手段により搬送された前記乗車券を受け取り、搬送する第５の搬送手段と、
前記第２の搬送手段及び前記第５の搬送手段により搬送された前記乗車券を排出する排出口と、
前記第１の搬送手段上に設けられ、搬送される前記乗車券に磁気処理を行なう磁気処理手段と、
前記第５の搬送手段上に設けられ、搬送される前記乗車券に印刷処理を行なう印刷手段と、を具備し、
前記投入口に投入された前記乗車券を前記第１の搬送手段及び第２の搬送手段により前記排出口まで搬送させる第１の搬送路と、
この第１の搬送路に基づいて前記乗車券が搬送されているときにおいて、前記乗車券に対する前記磁気処理手段による処理が正しく行なわれなかったのに基づき、前記乗車券を前記第２及び第４の搬送手段により前記第３の搬送手段に搬送し、この第３の搬送手段により再度前記第１の搬送手段に前記乗車券を搬送して前記磁気処理手段により再度磁気処理を行なわせる第２の搬送路と、
前記投入口に投入された前記乗車券を前記第１の搬送手段で搬送させ前記振分手段により前記第３の搬送手段によりその中段まで搬送させ、さらに前記第５の搬送手段により前記排出口まで搬送させる第３の搬送路と、
この第３の搬送路に基づいて前記乗車券が搬送されているときにおいて前記乗車券に対する前記磁気処理手段による処理が正しく行なわれなかったのに基づき、前記乗車券を前記振分手段により前記第３の搬送手段に振り分け、この第３の搬送手段により再度前記第１の搬送手段に前記乗車券を搬送して前記磁気処理手段により再度磁気処理を行なわせる第４の搬送路と
を備えたことを特徴とする自動改札装置。
【請求項３】
磁気記録部を備える乗車券が投入される投入口と、
この投入口に投入された前記乗車券を搬送する第１の搬送手段と、
この第１の搬送手段の後段に設けられ、前記第１の搬送手段により搬送された前記乗車券を受け取って搬送する第２の搬送手段と、
前記第１の搬送手段の後段に設けられ、前記第１の搬送手段により搬送された前記乗車券を受け取り、再度前記第１の搬送手段に前記乗車券を搬送する第３の搬送手段と、
前記第１の搬送手段により搬送された前記乗車券を前記第２の搬送手段若しくは前記第３の搬送手段のいずれかに振り分ける振分手段と、
前記第２の搬送手段の後段に設けられ、前記第２の搬送手段により搬送された前記乗車券を受け取り、前記第３の搬送手段に前記乗車券を搬送する第４の搬送手段と、
前記第３の搬送手段の中段から分岐し、前記第３の搬送手段により搬送された前記乗車券を受け取り、搬送する第５の搬送手段と、
前記第２の搬送手段及び前記第５の搬送手段により搬送された前記乗車券を排出する排出口と、
前記第１の搬送手段上に設けられ、搬送される前記乗車券に磁気処理を行なう磁気処理手段と、
前記第５の搬送手段上に設けられ、搬送される前記乗車券に印刷処理を行なう印刷手段と、を具備し、
前記投入口に投入された前記乗車券を前記第１の搬送手段及び第２の搬送手段により前記排出口まで搬送させる第１の搬送路と、
この第１の搬送路に基づいて前記乗車券が搬送されているときにおいて、前記乗車券に対する前記磁気処理手段による処理が正しく行なわれなかったのに基づき、前記乗車券を前記第２及び第４の搬送手段により前記第３の搬送手段に搬送し、この第３の搬送手段により再度前記第１の搬送手段に前記乗車券を搬送して前記磁気処理手段により再度磁気処理を行なわせる第２の搬送路と、
前記投入口に投入された前記乗車券を前記第１の搬送手段で搬送させ前記振分手段により前記第３の搬送手段によりその中段まで搬送させ、さらに前記第５の搬送手段により前記排出口まで搬送させる第３の搬送路と、
この第３の搬送路に基づいて前記乗車券が搬送されているときにおいて前記乗車券に対する前記磁気処理手段による処理が正しく行なわれなかったのに基づき、前記乗車券を前記振分手段により前記第３の搬送手段に振り分け、この第３の搬送手段により再度前記第１の搬送手段に前記乗車券を搬送して前記磁気処理手段により再度磁気処理を行なわせる第４の搬送路と、
この第４の搬送路により前記磁気処理手段による再処理が正しく行なわれたのに基づき、前記振分手段を駆動し前記乗車券を第３の搬送手段に搬送するとともに、この第３の搬送手段から分岐させ前記第５の搬送手段に搬送させる第５の搬送路と
を備えたことを特徴とする自動改札装置。
【請求項４】
磁気記録部を備える乗車券が投入される投入口と、
この投入口に投入された前記乗車券を搬送する第１の搬送手段と、
この第１の搬送手段の後段に設けられ、前記第１の搬送手段により搬送された前記乗車券を受け取って搬送する第２の搬送手段と、
前記第１の搬送手段の後段に設けられ、前記第１の搬送手段により搬送された前記乗車券を受け取り、再度前記第１の搬送手段に前記乗車券を搬送する第３の搬送手段と、
前記第１の搬送手段により搬送された前記乗車券を前記第２の搬送手段若しくは前記第３の搬送手段のいずれかに振り分ける振分手段と、
前記第２の搬送手段の後段に設けられ、前記第２の搬送手段により搬送された前記乗車券を受け取り、前記第３の搬送手段に前記乗車券を搬送する第４の搬送手段と、
前記第３の搬送手段の中段から分岐し、前記第３の搬送手段により搬送された前記乗車券を受け取り、搬送する第５の搬送手段と、
前記第２の搬送手段及び前記第５の搬送手段により搬送された前記乗車券を排出する排出口と、
前記第１の搬送手段上に設けられ、搬送される前記乗車券に磁気処理を行なう磁気処理手段と、
前記第５の搬送手段上に設けられ、搬送される前記乗車券に印刷処理を行なう印刷手段と、を具備し、
前記投入口に投入された前記乗車券を前記第１の搬送手段及び第２の搬送手段により前記排出口まで搬送させる第１の搬送路と、
この第１の搬送路に基づいて前記乗車券が搬送されているときにおいて、前記乗車券に対する前記磁気処理手段による処理が正しく行なわれなかったのに基づき、前記乗車券を前記第２及び第４の搬送手段により前記第３の搬送手段に搬送し、この第３の搬送手段により再度前記第１の搬送手段に前記乗車券を搬送して前記磁気処理手段により再度磁気処理を行なわせる第２の搬送路と、
前記投入口に投入された前記乗車券を前記第１の搬送手段で搬送させ前記振分手段により前記第３の搬送手段によりその中段まで搬送させ、さらに前記第５の搬送手段により前記排出口まで搬送させる第３の搬送路と、
この第３の搬送路に基づいて前記乗車券が搬送されているときにおいて前記乗車券に対する前記磁気処理手段による処理が正しく行なわれなかったのに基づき、前記乗車券を前記振分手段により前記第３の搬送手段に振り分け、この第３の搬送手段により再度前記第１の搬送手段に前記乗車券を搬送して前記磁気処理手段により再度磁気処理を行なわせる第４の搬送路と、
この第４の搬送路により前記磁気処理手段による再処理が正しく行なわれたのに基づき、前記振分手段を駆動し前記乗車券を第３の搬送手段に搬送するとともに、この第３の搬送手段から分岐させ前記第５の搬送手段に搬送させる第５の搬送路と、
前記投入口に複数枚の乗車券が投入されたとき、前記第１の搬送手段により搬送される前記乗車券を前記振分手段により前記第３の搬送手段に案内し、停止手段を駆動し前記乗車券を停止させる停止手段経由搬送路と
を備えたことを特徴とする自動改札装置。
【請求項５】
前記第３の搬送手段において、第５の搬送手段は前記第４の搬送手段から乗車券が搬送される位置よりも搬送方向後段の位置から分岐していることを特徴とする請求項１の自動改札装置。
【請求項６】
乗車券を改札処理するための自動改札装置であり、
乗車券が投入される投入口と、
投入口に投入された乗車券を送り出す送出部と、
送出部から送り出される乗車券の向きを正しい向きに整える整列部と、
乗車券の検査と乗車券への適宜処理を行なう中央処理部と、
返却か回収かに応じて乗車券を振り分ける振分部と、
返却すべき乗車券を排出する排出部と、
そこを通って乗車券が露出される排出口と、
回収した乗車券を収容する回収箱とを有しており、
中央処理部は、乗車券に記録されている情報を読み取る情報読取部と、乗車券に情報を書き込む情報書込部と、乗車券の表面に対して印字処理を行なう印字手段を含む第一の乗車券処理部と、乗車券の裏面に対して印字処理を行なう印字手段を含む第二の乗車券処理部と、乗車券を搬送する搬送機構とを含んでおり、
搬送機構は、乗車券を情報書込部と第一の乗車券処理部を経由して振分部に送る第一の搬送路と、第一の乗車券処理部を経由して振分部から乗車券を情報書込部に戻す第二の搬送路と、乗車券を情報書込部と第二の乗車券処理部を経由して振分部に送る第三の搬送路と、乗車券を情報書込部に戻す第四の搬送路とを選択的に形成し得る、自動改札装置。
【請求項７】
請求項６において、
乗車券は金額カードと通常乗車券に分けられ、
搬送機構は、情報書込部による通常乗車券に対する情報書き込みの成功に対しては第一の搬送路を形成し、情報書込部による通常乗車券に対する情報書き込みの失敗に対しては第二の搬送路を形成し、情報書込部による金額カードに対する情報書き込みの成功に対しては第三の搬送路を形成し、情報書込部による金額カードに対する情報書き込みの失敗に対しては第四の搬送路を形成する、請求項６に記載の自動改札装置。
【請求項８】
請求項６において、
乗車券は金額カードと通常乗車券に分けられ、また乗車券は別の見地から小型乗車券と大型乗車券に分けられ、金額カードは大型乗車券に含まれ、
送出部は、複数枚の乗車券の一括投入に対しては、乗車券を一枚ずつ送り出し、
中央処理部は、大型乗車券と小型乗車券の両方を含む複数枚の乗車券の一括投入に対しては、先に大型乗車券を処理した後で小型乗車券を処理し、
排出部は、複数枚の乗車券の返却に対しては、複数枚の乗車券を重ねて排出し、
中央処理部は乗車券を一時的に保留する一時保留部を有し、
一時保留部は第二の搬送路と第四の搬送路の共通部分に配置されており、
大型乗車券が情報書込部に供給される間は、搬送機構は、金額カードに対して第三の搬送路を形成し、それ以外の大型乗車券に対して第一の搬送経路を形成し、小型乗車券に対して第二の搬送路を形成し、一時保留部は小型乗車券を一時的に保留し、大型乗車券が情報書込部に供給されなくなった後は、一時保留部は小型乗車券の保留を解除し、搬送機構は小型乗車券に対して第一の搬送路を形成する、請求項６に記載の自動改札装置。
【請求項９】
請求項６において、
乗車券は金額カードと通常乗車券に分けられ、また乗車券は別の見地から小型乗車券と大型乗車券に分けられ、金額カードは大型乗車券に含まれ、
送出部は、複数枚の乗車券の一括投入に対しては、乗車券を一枚ずつ送り出し、
中央処理部は、大型乗車券と小型乗車券の両方を含む複数枚の乗車券の一括投入に対しては、先に大型乗車券を処理した後で小型乗車券を処理し、
排出部は、複数枚の乗車券の返却に対しては、複数枚の乗車券を重ねて排出し、
中央処理部は乗車券を一時的に保留する一時保留部を有し、
一時保留部は第二の搬送路と第四の搬送路の共通部分に配置されており、
大型乗車券が情報書込部に供給される間は、搬送機構は、金額カードに対して第三の搬送路を形成し、それ以外の大型乗車券に対して第一の搬送路を形成し、小型乗車券に対して第二の搬送路を形成し、一時保留部は小型乗車券を一時的に保留し、大型乗車券が情報書込部に供給されなくなった後は、一時保留部は小型乗車券の保留を解除し、搬送機構は小型乗車券に対して第一の搬送路を形成し、
情報書込部による金額カードに対する情報書き込みの失敗に対しては、搬送機構はその金額カードに対して第四の搬送路を形成し、情報書込部による金額カード以外の大型乗車券に対する情報書き込みの失敗に対しては、搬送機構はその大型乗車券に対して第二の搬送路を形成し、一時保留部は小型乗車券の保留を解除し、搬送機構は小型乗車券に対して第二の搬送路を形成し、
情報書込部による小型乗車券に対する情報書き込みの失敗に対しては、搬送機構はその小型乗車券に対して第二の搬送路を形成する、請求項６に記載の自動改札装置。
【請求項１０】
請求項６において、
搬送機構は、さらに、表裏両面に印字される乗車券に対し情報書込部と第一の乗車券処理部と第二の乗車券処理部を経由して振分部に送る両面印字用搬送路を形成する、請求項６に記載の自動改札装置。
【手続補正２】
【補正対象書類名】明細書
【補正対象項目名】００１３
【補正方法】変更
【補正の内容】
【００１３】
【課題を解決するための手段】
本発明の請求項１の自動改札装置は、磁気記録部を備える乗車券が投入される投入口と、この投入口に投入された前記乗車券を搬送する第１の搬送手段と、この第１の搬送手段の後段に設けられ、前記第１の搬送手段により搬送された前記乗車券を受け取って搬送する第２の搬送手段と、前記第１の搬送手段の後段に設けられ、前記第１の搬送手段により搬送された前記乗車券を受け取り、再度前記第１の搬送手段に前記乗車券を搬送する第３の搬送手段と、前記第１の搬送手段により搬送された前記乗車券を前記第２の搬送手段若しくは前記第３の搬送手段のいずれかに振り分ける振分手段と、前記第２の搬送手段の後段に設けられ、前記第２の搬送手段により搬送された前記乗車券を受け取り、前記第３の搬送手段に前記乗車券を搬送する第４の搬送手段と、前記第３の搬送手段の中段から分岐し、前記第３の搬送手段により搬送された前記乗車券を受け取り、搬送する第５の搬送手段と、前記第２の搬送手段及び前記第５の搬送手段により搬送された前記乗車券を排出する排出口と、前記第１の搬送手段上に設けられ、搬送される前記乗車券に磁気処理を行なう磁気処理手段と、前記第５の搬送手段上に設けられ、搬送される前記乗車券に印刷処理を行なう印刷手段と、を具備し、前記投入口に投入された前記乗車券を前記第１の搬送手段及び第２の搬送手段により前記排出口まで搬送させる第１の搬送路と、この第１の搬送路に基づいて前記乗車券が搬送されているときにおいて、前記乗車券に対する前記磁気処理手段による処理が正しく行なわれなかったのに基づき、前記乗車券を前記第２及び第４の搬送手段により前記第３の搬送手段に搬送し、この第３の搬送手段により再度前記第１の搬送手段に前記乗車券を搬送して前記磁気処理手段により再度磁気処理を行なわせる第２の搬送路と、前記投入口に投入された前記乗車券を前記第１の搬送手段で搬送させ前記振分手段により前記第３の搬送手段によりその中段まで搬送させ、さらに前記第５の搬送手段により前記排出口まで搬送させる第３の搬送路と、を備えたことを特徴とする。


【手続補正３】
【補正対象書類名】明細書
【補正対象項目名】００１４
【補正方法】変更
【補正の内容】
【００１４】
本発明の請求項２の自動改札装置は、磁気記録部を備える乗車券が投入される投入口と、この投入口に投入された前記乗車券を搬送する第１の搬送手段と、この第１の搬送手段の後段に設けられ、前記第１の搬送手段により搬送された前記乗車券を受け取って搬送する第２の搬送手段と、前記第１の搬送手段の後段に設けられ、前記第１の搬送手段により搬送された前記乗車券を受け取り、再度前記第１の搬送手段に前記乗車券を搬送する第３の搬送手段と、前記第１の搬送手段により搬送された前記乗車券を前記第２の搬送手段若しくは前記第３の搬送手段のいずれかに振り分ける振分手段と、前記第２の搬送手段の後段に設けられ、前記第２の搬送手段により搬送された前記乗車券を受け取り、前記第３の搬送手段に前記乗車券を搬送する第４の搬送手段と、前記第３の搬送手段の中段から分岐し、前記第３の搬送手段により搬送された前記乗車券を受け取り、搬送する第５の搬送手段と、前記第２の搬送手段及び前記第５の搬送手段により搬送された前記乗車券を排出する排出口と、前記第１の搬送手段上に設けられ、搬送される前記乗車券に磁気処理を行なう磁気処理手段と、前記第５の搬送手段上に設けられ、搬送される前記乗車券に印刷処理を行なう印刷手段と、を具備し、前記投入口に投入された前記乗車券を前記第１の搬送手段及び第２の搬送手段により前記排出口まで搬送させる第１の搬送路と、この第１の搬送路に基づいて前記乗車券が搬送されているときにおいて、前記乗車券に対する前記磁気処理手段による処理が正しく行なわれなかったのに基づき、前記乗車券を前記第２及び第４の搬送手段により前記第３の搬送手段に搬送し、この第３の搬送手段により再度前記第１の搬送手段に前記乗車券を搬送して前記磁気処理手段により再度磁気処理を行なわせる第２の搬送路と、前記投入口に投入された前記乗車券を前記第１の搬送手段で搬送させ前記振分手段により前記第３の搬送手段によりその中段まで搬送させ、さらに前記第５の搬送手段により前記排出口まで搬送させる第３の搬送路と、この第３の搬送路に基づいて前記乗車券が搬送されているときにおいて前記乗車券に対する前記磁気処理手段による処理が正しく行なわれなかったのに基づき、前記乗車券を前記振分手段により前記第３の搬送手段に振り分け、この第３の搬送手段により再度前記第１の搬送手段に前記乗車券を搬送して前記磁気処理手段により再度磁気処理を行なわせる第４の搬送路と、を備えたことを特徴とする。


【手続補正４】
【補正対象書類名】明細書
【補正対象項目名】００１５
【補正方法】変更
【補正の内容】
【００１５】
本発明の請求項３の自動改札装置は、磁気記録部を備える乗車券が投入される投入口と、この投入口に投入された前記乗車券を搬送する第１の搬送手段と、この第１の搬送手段の後段に設けられ、前記第１の搬送手段により搬送された前記乗車券を受け取って搬送する第２の搬送手段と、前記第１の搬送手段の後段に設けられ、前記第１の搬送手段により搬送された前記乗車券を受け取り、再度前記第１の搬送手段に前記乗車券を搬送する第３の搬送手段と、前記第１の搬送手段により搬送された前記乗車券を前記第２の搬送手段若しくは前記第３の搬送手段のいずれかに振り分ける振分手段と、前記第２の搬送手段の後段に設けられ、前記第２の搬送手段により搬送された前記乗車券を受け取り、前記第３の搬送手段に前記乗車券を搬送する第４の搬送手段と、前記第３の搬送手段の中段から分岐し、前記第３の搬送手段により搬送された前記乗車券を受け取り、搬送する第５の搬送手段と、前記第２の搬送手段及び前記第５の搬送手段により搬送された前記乗車券を排出する排出口と、前記第１の搬送手段上に設けられ、搬送される前記乗車券に磁気処理を行なう磁気処理手段と、前記第５の搬送手段上に設けられ、搬送される前記乗車券に印刷処理を行なう印刷手段と、を具備し、前記投入口に投入された前記乗車券を前記第１の搬送手段及び第２の搬送手段により前記排出口まで搬送させる第１の搬送路と、この第１の搬送路に基づいて前記乗車券が搬送されているときにおいて、前記乗車券に対する前記磁気処理手段による処理が正しく行なわれなかったのに基づき、前記乗車券を前記第２及び第４の搬送手段により前記第３の搬送手段に搬送し、この第３の搬送手段により再度前記第１の搬送手段に前記乗車券を搬送して前記磁気処理手段により再度磁気処理を行なわせる第２の搬送路と、前記投入口に投入された前記乗車券を前記第１の搬送手段で搬送させ前記振分手段により前記第３の搬送手段によりその中段まで搬送させ、さらに前記第５の搬送手段により前記排出口まで搬送させる第３の搬送路と、この第３の搬送路に基づいて前記乗車券が搬送されているときにおいて前記乗車券に対する前記磁気処理手段による処理が正しく行なわれなかったのに基づき、前記乗車券を前記振分手段により前記第３の搬送手段に振り分け、この第３の搬送手段により再度前記第１の搬送手段に前記乗車券を搬送して前記磁気処理手段により再度磁気処理を行なわせる第４の搬送路と、この第４の搬送路により前記磁気処理手段による再処理が正しく行なわれたのに基づき、前記振分手段を駆動し前記乗車券を第３の搬送手段に搬送するとともに、この第３の搬送手段から分岐させ前記第５の搬送手段に搬送させる第５の搬送路と、を備えたことを特徴とする。


【手続補正５】
【補正対象書類名】明細書
【補正対象項目名】００１６
【補正方法】変更
【補正の内容】
【００１６】
本発明の請求項４の自動改札装置は、磁気記録部を備える乗車券が投入される投入口と、この投入口に投入された前記乗車券を搬送する第１の搬送手段と、この第１の搬送手段の後段に設けられ、前記第１の搬送手段により搬送された前記乗車券を受け取って搬送する第２の搬送手段と、前記第１の搬送手段の後段に設けられ、前記第１の搬送手段により搬送された前記乗車券を受け取り、再度前記第１の搬送手段に前記乗車券を搬送する第３の搬送手段と、前記第１の搬送手段により搬送された前記乗車券を前記第２の搬送手段若しくは前記第３の搬送手段のいずれかに振り分ける振分手段と、前記第２の搬送手段の後段に設けられ、前記第２の搬送手段により搬送された前記乗車券を受け取り、前記第３の搬送手段に前記乗車券を搬送する第４の搬送手段と、前記第３の搬送手段の中段から分岐し、前記第３の搬送手段により搬送された前記乗車券を受け取り、搬送する第５の搬送手段と、前記第２の搬送手段及び前記第５の搬送手段により搬送された前記乗車券を排出する排出口と、前記第１の搬送手段上に設けられ、搬送される前記乗車券に磁気処理を行なう磁気処理手段と、前記第５の搬送手段上に設けられ、搬送される前記乗車券に印刷処理を行なう印刷手段と、を具備し、前記投入口に投入された前記乗車券を前記第１の搬送手段及び第２の搬送手段により前記排出口まで搬送させる第１の搬送路と、この第１の搬送路に基づいて前記乗車券が搬送されているときにおいて、前記乗車券に対する前記磁気処理手段による処理が正しく行なわれなかったのに基づき、前記乗車券を前記第２及び第４の搬送手段により前記第３の搬送手段に搬送し、この第３の搬送手段により再度前記第１の搬送手段に前記乗車券を搬送して前記磁気処理手段により再度磁気処理を行なわせる第２の搬送路と、前記投入口に投入された前記乗車券を前記第１の搬送手段で搬送させ前記振分手段により前記第３の搬送手段によりその中段まで搬送させ、さらに前記第５の搬送手段により前記排出口まで搬送させる第３の搬送路と、この第３の搬送路に基づいて前記乗車券が搬送されているときにおいて前記乗車券に対する前記磁気処理手段による処理が正しく行なわれなかったのに基づき、前記乗車券を前記振分手段により前記第３の搬送手段に振り分け、この第３の搬送手段により再度前記第１の搬送手段に前記乗車券を搬送して前記磁気処理手段により再度磁気処理を行なわせる第４の搬送路と、この第４の搬送路により前記磁気処理手段による再処理が正しく行なわれたのに基づき、前記振分手段を駆動し前記乗車券を第３の搬送手段に搬送するとともに、この第３の搬送手段から分岐させ前記第５の搬送手段に搬送させる第５の搬送路と、前記投入口に複数枚の乗車券が投入されたとき、前記第１の搬送手段により搬送される前記乗車券を前記振分手段により前記第３の搬送手段に案内し、停止手段を駆動し前記乗車券を停止させる停止手段経由搬送路と、を備えたことを特徴とする。


【手続補正６】
【補正対象書類名】明細書
【補正対象項目名】００１８
【補正方法】変更
【補正の内容】
【００１８】
本発明の請求項６の自動改札装置は、乗車券を改札処理するための自動改札装置であり、乗車券が投入される投入口と、投入口に投入された乗車券を送り出す送出部と、送出部から送り出される乗車券の向きを正しい向きに整える整列部と、乗車券の検査と乗車券への適宜処理を行なう中央処理部と、返却か回収かに応じて乗車券を振り分ける振分部と、返却すべき乗車券を排出する排出部と、そこを通って乗車券が露出される排出口と、回収した乗車券を収容する回収箱とを有しており、中央処理部は、乗車券に記録されている情報を読み取る情報読取部と、乗車券に情報を書き込む情報書込部と、乗車券の表面に対して印字処理を行なう印字手段を含む第一の乗車券処理部と、乗車券の裏面に対して印字処理を行なう印字手段を含む第二の乗車券処理部と、乗車券を搬送する搬送機構とを含んでおり、搬送機構は、乗車券を情報書込部と第一の乗車券処理部を経由して振分部に送る第一の搬送路と、第一の乗車券処理部を経由して振分部から乗車券を情報書込部に戻す第二の搬送路と、乗車券を情報書込部と第二の乗車券処理部を経由して振分部に送る第三の搬送路と、乗車券を情報書込部に戻す第四の搬送路とを選択的に形成し得る。


【手続補正７】
【補正対象書類名】明細書
【補正対象項目名】００２２
【補正方法】変更
【補正の内容】
【００２２】
本発明の請求項１０の自動改札装置は、請求項６の装置において、搬送機構は、さらに、表裏両面に印字される乗車券に対し情報書込部と第一の乗車券処理部と第二の乗車券処理部を経由して振分部に送る両面印字用搬送路を形成する。